(57)【要約】  本発明によるアセンブリは、眼鏡（１）と結合する、または結合することが可能であり、かつおしゃぶり（１０）と結合する、または結合することが可能な接続部（２）を備え、該接続部（２）が前記眼鏡（１）および前記おしゃぶり（１０）と結合し、前記おしゃぶり（１０）が使用者の口中にある場合、前記眼鏡（１）が使用者の目と一致した場所に位置するように、前記接続部（２）の寸法が合わせられ、かつ前記おしゃぶり（１０）が、前記接続部（２）上に配置されているか、または配置することが可能とされている。
2010522894.tif 000002
【特許請求の範囲】
【請求項１】
眼鏡（１）と結合する、または結合することが可能な、かつおしゃぶり（１０）と結合する、または結合することが可能な接続部（２）を備え、該接続部（２）が前記眼鏡（１）および前記おしゃぶり（１０）と結合し、前記おしゃぶり（１０）が使用者の口中にある場合に、前記眼鏡（１）が使用者の目と一致した場所に位置するように、前記接続部（２）の寸法が合わせられ、かつ前記おしゃぶり（１０）が、前記接続部（２）上に配置されているか、または配置可能であることを特徴とする、特に幼児または非常に幼い子供用の眼鏡を形成するアセンブリ。
【請求項２】
前記接続部（２）が前記眼鏡（１）と一体化されて前記眼鏡（１）の拡張部を構成していることを特徴とする請求項１に記載のアセンブリ。
【請求項３】
前記接続部（２）が既存の眼鏡へ組み付ける手段を備えていることを特徴とする請求項１に記載のアセンブリ。
【請求項４】
前記おしゃぶりが前記接続部と一体的であることを特徴とする請求項１〜３のいずれか一項に記載のアセンブリ。
【請求項５】
前記接続部（２）が、既存のおしゃぶり（１０）へ組み付ける手段（７）を備える特徴とする請求項１〜３のいずれか一項に記載のアセンブリ。
【請求項６】
前記接続部（２）が、各眼鏡の下部（４）から延在する二つの接続アーム（３）を備え、二つの該接続アーム（３）は、幼児または非常に幼い子供の鼻が通る開放部（５）を残し、幼児または非常に幼い子供の口に一致する場所に位置するよう設計された区画（６）にて一体になることを特徴とする請求項１〜５のいずれか一項に記載のアセンブリ。
【請求項７】
前記接続部（２）が幼児または非常に幼い子供の顔の曲線に適合する、わずかに湾曲した形であること特徴とする請求項１〜６のいずれか一項に記載のアセンブリ。
【請求項８】
前記接続部をおしゃぶりへ組み付ける前記手段が、前記接続部（２）を貫通するよう配置された穴（７）を備え、該穴（７）は前記接続部（２）がおしゃぶり（１０）の胴部（１２）と密接な係合を許容するよう構成されていることを特徴とする請求項５〜７のいずれか一項に記載のアセンブリ。
【請求項９】
前記穴（７）は、該穴（７）の対向する両側に配置された二つの切欠き（８）を備え、前記接続部（２）がおしゃぶり胴部（１２）に通常備わるリング（１１）と係合することを許容していることを特徴とする請求項８に記載のアセンブリ。
【請求項１０】
前記組み付け手段は、間におしゃぶり胴部を受け入れるスナップインタブを備えることを特徴とする請求項５〜７のいずれか一項に記載のアセンブリ。
【請求項１１】
前記組み付け手段は、一方で前記接続部から取り外すためのアセンブリと、他方で所定のおしゃぶり胴部タイプに適合するアセンブリとを備える、ひとつまたは複数の適合部品を備えていることを特徴とする請求項５〜７のいずれか一項に記載のアセンブリ。
【請求項１２】
眼鏡（１）の腕が設けられていないことを特徴とする請求項１〜１１のいずれか一項に記載のアセンブリ。
【請求項１３】
眼鏡（１）が腕を備えていることを特徴とする請求項１〜１１のいずれか一項に記載のアセンブリ。
【発明の詳細な説明】
【技術分野】
【０００１】
本発明は、眼鏡を形成するアセンブリ、特に幼児または非常に幼い子供用の眼鏡を形成するアセンブリに関する。
【背景技術】
【０００２】
幼児または非常に幼い子供に眼鏡、特にサングラス、眼鏡または快適な眼鏡をかけさせることは、非常に困難な場合がある。しかし、日差しが強い場合、または視力矯正が必要な場合は、サングラスをかけることはたとえ強制的であっても必要なことである。
【０００３】
従来の腕を備えた幼児用の眼鏡は存在する。これらの眼鏡は幼児の顔において、その位置を特に良好に保持することができず、幼児に受け入れられることは少なく、簡単に取り去られてしまう場合がある。
【０００４】
また眼鏡には、弾性バンドで眼鏡の腕を置き換えたものがある。これらの眼鏡は、上述したのと実質的に同じ欠点を有する。
【発明の概要】
【発明が解決しようとする課題】
【０００５】
現在まで、幼児または非常に幼い子供にとって、装着が受け入れ易い眼鏡は存在していない。本発明の目的は、この欠点を解決することである。
【課題を解決するための手段】
【０００６】
この目的を達成するために、本発明によるアセンブリは、眼鏡と結合する、または結合することが可能であり、かつおしゃぶりと結合する、または結合することが可能な接続部を備え、この接続部が眼鏡およびおしゃぶりと結合し、おしゃぶりが使用者の口中にある場合に、眼鏡が使用者の目と一致した場所に位置するように、前記接続部の寸法が合わせられ、かつ前記おしゃぶりがこの接続部上に配置されているか、または配置することが可能とされている。
【０００７】
したがって、おしゃぶりが使用者の、特に幼児の口中にある場合、眼鏡は使用者の目に一致した場所に位置する。この幼児は、眼鏡が顔にあるという感覚がないため、眼鏡の装着を受け入れやすくなり、さらには口におしゃぶりがあることにより幼児は落ち着くことができる。
【０００８】
「おしゃぶり」という用語は、幼児または非常に幼い子供のような使用者によって吸われる性質の物を含む、幅広い意味の単語として理解されるべきである。特に、おしゃぶり形状の吸着するための器具、または他の砂糖菓子を含むことができる。
【０００９】
前記接続部は、眼鏡と一体化されて眼鏡の拡張部を構成するか、あるいは既存の眼鏡へ組み付ける手段を備えることができる。
【００１０】
同様におしゃぶりは、前記接続部と統合することができ、あるいは接続部は既存のおしゃぶりへ組み付ける手段を備えることができる。
【００１１】
前記接続部は、各眼鏡の下部から延在する２つの接続アームを備えることが好ましく、この２つの接続アームは、幼時または非常に幼い子供の鼻が通る開放部を残し、幼児または非常に幼い子供の口に一致する場所に位置するよう設計された部分にて一体となる。
【００１２】
このように構成される前記接続部は、幼児または非常に幼い子供の顔に載置するよう延在し、そのため顔における安定性を強化することができる。
【００１３】
接続部は、幼児または非常に幼い子供の顔の曲線に適合する、わずかに湾曲した形にすることができる。したがって幼児の顔の下部に一種の「仮面」が形成され、それにより顔への載置安定性を増加させる。
【００１４】
おしゃぶり胴部を含むおしゃぶりに接続部を組み付ける前記手段は、特に、接続部を通るよう配置された穴を備えることができ、この穴はこの接続部がおしゃぶり胴部と密接な係合を許容するよう構成されている。
【００１５】
したがって、おしゃぶりへの接続部の組み付けは、単に摩擦により成立している。
【００１６】
前記穴は、この穴に対向する両側に配置される二つの切欠きを備えることができ、前記接続部が通常おしゃぶり胴部に備わるリングと係合することを許容している。
【００１７】
別の可能性によると、組み付け手段は、間におしゃぶり胴部を受け入れるスナップインタブを備えることができる。
【００１８】
さらに別の可能性によると、組み付け手段は、一方で前記接続部から取り外すためのアセンブリと、他方で所定のおしゃぶり胴部タイプに適合するアセンブリとを備える、ひとつまたは複数の適合部品を備える。
【００１９】
したがって、おしゃぶり胴部に対応するひとつ、または複数の適合部品を使用することにより、同じ接続部を、異なるタイプのおしゃぶり胴部と適合することができる。
【００２０】
眼鏡は、腕なしで提供することが可能であり、または腕を備えることも可能である。これらの腕は、子供の顔における眼鏡の安定性を増加させることができる。
【００２１】
アセンブリに関連する、限定された例ではないひとつの好ましい実施形態を説明した添付の図を参照することにより本発明はよく理解され、本発明の他の特徴および長所は明らかになるだろう。
【図面の簡単な説明】
【００２２】
【図１】本発明のアセンブリに備わる眼鏡および接続部の透視図である。
【図２】眼鏡および接続部の正面図である。
【図３】おしゃぶりが取り付けられる前の、眼鏡および接続部の長手方向の断面の側面図である。
【図４】おしゃぶりが取り付けられた後の、図３と同様な図である。
【発明を実施するための形態】
【００２３】
図は、幼児または非常に幼い子供用の眼鏡１を示しており、眼鏡１は、眼鏡をかけた人の顔の下部に相当する方向に向かう接続部２を備えている。
【００２４】
この接続部２は眼鏡１と一体化し、これは特に合成材料を成形して作られた接続部単体によって実現されている。
【００２５】
接続部２は、二つの接続アーム３を備え、この二つの接続アーム３は、各眼鏡の下部４から延在し、幼児または非常に幼い子供の鼻が通る開放部５を残し、ほぼ楕円の区画６にて一体となっている。接続部２は、縦方向および横方向両方にわずかに湾曲した形状をしており、幼児または非常に幼い子供の湾曲に適合している。
【００２６】
区画６は、区画６を貫通して形成された穴７と、この穴７に対向する両側に配置された二つの切欠き８とを備えている。
【００２７】
図４に見えるように、これらの切欠き８は、おしゃぶり１０のリング１１と係合できるように寸法が決められ、穴７は区画６がおしゃぶり胴部１２と密接に係合できるように寸法が決められている。
【００２８】
理解できるように、おしゃぶり１０が幼児または非常に幼い子供の口にある場合、眼鏡１がこの幼児または非常に幼い子供の目と一致する場所に位置するように、前記接続部２の寸法が決められ、穴７がこの接続部２上に配置される。
【００２９】
したがって、この幼児は、顔に眼鏡があるという感覚なく眼鏡をかけることができ、これにより眼鏡の装着を受け入れやすくなり、さらにおしゃぶりが口にあることによって落ち着くことができる。
【００３０】
接続部２は、幼児または非常に幼い子供の顔に載置するよう延在でき、そのため顔においての安定性を強化することができる。
【００３１】
穴７は、摩擦によってのみおしゃぶり１０を接続部２に取り付けることができるので、この取り付けは簡単に実現でき、必要に応じておしゃぶり１０を接続部２から簡単に取り外すことができる。
【００３２】
前述から明らかなように、本発明は、幼児または非常に幼い子供にとって装着が受け入れやすい眼鏡を形成するアセンブリを提供し、従来技術の類似した眼鏡に比べて決定的な利点を持つ。
【００３３】
本発明は、単に一例として提供された実施形態を参照して、上記に説明された。本発明の技術的範囲は、この実施形態に限定されるものではなく、添付の特許請求の範囲を包含するすべての実施形態に及ぶものであることは言うまでもない。したがって、「おしゃぶり」という用語は、幼児または非常に幼い子供のような使用者によって吸われる性質の物を含む、幅広い意味の単語として理解されるべきであり、特におしゃぶり形状または吸着形状の吸着するための器具、または他の砂糖菓子を含むことができる。接続部２は、眼鏡１と一体化していない場合もあり、既存の眼鏡へ組み付ける手段を備えることができる。おしゃぶりは、接続部２と統合でき、眼鏡１は腕を備えることができる。
【符号の説明】
【００３４】
１  眼鏡
２  接続部
３  接続アーム
４  下部
５  開放部
６  区画
７  穴
８  切欠き
１０  おしゃぶり
１１  リング
１２  おしゃぶり胴部
【図１】
2010522894.tif 000003
【図２】
2010522894.tif 000004
【図３】
2010522894.tif 000005
【図４】
2010522894.tif 000006
【国際調査報告】
2010522894.tif 000007
2010522894.tif 000008
2010522894.tif 000009
2010522894.tif 000010
2010522894.tif 000011
2010522894.tif 000012